(57)【要約】【課題】  医師や医療機関等の経済的負担が少ない診療支援情報提供システムを提供することを目的とする。【解決手段】  本発明は、医療機関端末と該医療機関端末と接続が可能なサーバ装置を備える診療支援情報提供システムであって、サーバ装置が、医療従事者による操作指示に関する操作指示情報を医療機関端末から受信する操作指示情報受信手段と、医療従事者又は医療機関の保有するポイントを記憶するポイント記憶手段と、医療従事者又は医療機関が所定の条件を満たす場合に、所定のポイントを加算するポイント加算手段と、診療支援情報提供システムの利用費用の支払いにポイントを充当するため、所定のポイントを減算するポイント減算手段とを備え、医療機関端末が、医療従事者による操作指示に関する操作指示情報をサーバ装置に送信する操作指示情報送信手段を備える、診療支援情報提供システムに関する。【選択図】    図１
2018032109.tif 000002
【特許請求の範囲】
【請求項１】
医療従事者が診療において参考にする診療支援情報を表示装置に表示する医療機関端末、及び、該医療機関端末と通信による接続が可能なサーバ装置を備える診療支援情報提供システムであって、
サーバ装置が、
診療支援情報を記憶する診療支援情報記憶手段と、
診療支援情報の表示要求を含む、医療従事者による医療機関端末への操作指示に関する操作指示情報を、医療機関端末から受信する操作指示情報受信手段と、
操作指示情報受信手段により受信した操作指示情報に含まれる表示要求に応じて、診療支援情報記憶手段に記憶された診療支援情報を医療機関端末に送信する診療支援情報送信手段と、
操作指示情報受信手段により受信した操作指示情報を記憶する操作指示情報記憶手段と、
医療従事者又は医療機関の保有するポイントを記憶するポイント記憶手段と、
医療従事者又は医療機関が所定の条件を満たす場合に、ポイント記憶手段により記憶されたポイントに所定のポイントを加算するポイント加算手段と、
診療支援情報提供システムの利用費用の支払いにポイントを充当するため、ポイント記憶手段に記憶されたポイントから所定のポイントを減算するポイント減算手段と
を備え、
医療機関端末が、
診療支援情報の表示要求を含む、医療従事者による医療機関端末への操作指示に関する操作指示情報を、サーバ装置に送信する操作指示情報送信手段と、
サーバ装置から診療支援情報を受信する診療支援情報受信手段と、
診療支援情報受信手段により受信した診療支援情報を表示装置に表示する診療支援情報表示手段と
を備える、診療支援情報提供システム。
【請求項２】
ポイント加算手段が、操作指示情報受信手段による医療機関端末からの操作指示情報の受信、又は、操作指示情報記憶手段による操作指示情報の記憶が実行されることに応じて、所定のポイントを加算することを特徴とする請求項１に記載の診療支援情報提供システム。
【請求項３】
医療機関端末が、
診療支援情報が表示された診療支援情報表示領域において、患者の症状に対する診断、及び、患者に対する処方、処置又は検査の実施に関する第一の処方情報を入力する第一処方情報入力手段とを備え、
操作指示情報が、第一処方情報入力手段により入力された第一の処方情報を含む、
請求項１又は２に記載の診療支援情報提供システム。
【請求項４】
医療機関端末が、
診療支援情報表示領域とは異なる電子カルテ表示領域に、患者の受けた診療に関する診療情報を表示する診療情報表示手段と、
電子カルテ表示領域において、患者の症状に対する診断、及び、患者に対する処方、処置又は検査の実施に関する第二の処方情報を入力する第二処方情報入力手段と
を備える、請求項３に記載の診療支援情報提供システム。
【請求項５】
医療従事者が診療において参考にする診療支援情報を表示装置に表示する医療機関端末と、該医療機関端末と通信により接続が可能であり、診療支援情報と医療従事者又は医療機関の保有するポイントとを記憶装置に記憶するサーバ装置とを備えるシステムにおいて実行される診療支援情報提供方法であって、
サーバ装置において、
診療支援情報の表示要求を含む、医療従事者による医療機関端末への操作指示に関する操作指示情報を、医療機関端末から受信するステップと、
操作指示情報を受信するステップにて受信した操作指示情報に含まれる表示要求に応じて、記憶装置に記憶した診療支援情報を医療機関端末に送信するステップと、
操作指示情報を受信するステップにて受信した操作指示情報を記憶装置に記憶するステップと、
医療従事者又は医療機関が所定の条件を満たす場合に、記憶装置に記憶したポイントに所定のポイントを加算するステップと、
記憶装置に記憶したポイントから所定のポイントを減算するステップと
を含み、
医療機関端末において
診療支援情報の表示要求を含む、医療従事者による医療機関端末への操作指示に関する操作指示情報を、サーバ装置に送信するステップと、
サーバ装置から診療支援情報を受信するステップと、
診療支援情報を受信するステップにて受信した診療支援情報を表示装置に表示するステップと
を含む診療支援情報提供方法。
【請求項６】
医療従事者が診療において参考にする診療支援情報を表示装置に表示する医療機関端末と通信による接続が可能なサーバ装置であって、
診療支援情報を記憶する診療支援情報記憶手段と、
診療支援情報の表示要求を含む、医療従事者による医療機関端末への操作指示に関する操作指示情報を、医療機関端末から受信する操作指示情報受信手段と、
操作指示情報受信手段により受信した操作指示情報に含まれる表示要求に応じて、診療支援情報記憶手段に記憶された診療支援情報を医療機関端末に送信する診療支援情報送信手段と、
操作指示情報受信手段により受信した操作指示情報を記憶する操作指示情報記憶手段と、
医療従事者又は医療機関の保有するポイントを記憶するポイント記憶手段と、
医療従事者又は医療機関が所定の条件を満たす場合に、ポイント記憶手段により記憶されたポイントに所定のポイントを加算するポイント加算手段と、
診療支援情報提供システムの利用費用の支払いにポイントを充当するため、ポイント記憶手段に記憶されたポイントから所定のポイントを減算するポイント減算手段と
を備えるサーバ装置。
【請求項７】
医療従事者が診療において参考にする診療支援情報を表示装置に表示する他のコンピュータ装置と通信による接続が可能なコンピュータ装置において実行される診療支援情報提供プログラムであって、
コンピュータ装置を、
診療支援情報を記憶する診療支援情報記憶手段と、
診療支援情報の表示要求を含む、医療従事者による他のコンピュータ装置への操作指示に関する操作指示情報を、他のコンピュータ装置から受信する操作指示情報受信手段と、
操作指示情報受信手段により受信した操作指示情報に含まれる表示要求に応じて、診療支援情報記憶手段に記憶された診療支援情報を他のコンピュータ装置に送信する診療支援情報送信手段と、
操作指示情報受信手段により受信した操作指示情報を記憶する操作指示情報記憶手段と、
医療従事者又は医療機関の保有するポイントを記憶するポイント記憶手段と、
医療従事者又は医療機関が所定の条件を満たす場合に、ポイント記憶手段により記憶されたポイントに所定のポイントを加算するポイント加算手段と、
診療支援情報提供システムの利用費用の支払いにポイントを充当するため、ポイント記憶手段に記憶されたポイントから所定のポイントを減算するポイント減算手段
として機能させる診療支援情報提供プログラム。
【請求項８】
医療従事者が診療において参考にする診療支援情報を表示装置に表示する医療機関端末と通信による接続が可能であり、診療支援情報と医療従事者又は医療機関の保有するポイントとを記憶装置に記憶するサーバ装置において実行される診療支援情報提供方法であって、
診療支援情報の表示要求を含む、医療従事者による医療機関端末への操作指示に関する操作指示情報を、医療機関端末から受信するステップと、
操作指示情報を受信するステップにて受信した操作指示情報に含まれる表示要求に応じて、記憶装置に記憶した診療支援情報を医療機関端末に送信するステップと、
操作指示情報を受信するステップにて受信した操作指示情報を記憶装置に記憶するステップと、
医療従事者又は医療機関が所定の条件を満たす場合に、記憶装置に記憶したポイントに所定のポイントを加算するステップと、
診療支援情報提供システムの利用費用の支払いにポイントを充当するため、記憶したポイントから所定のポイントを減算するステップと
を含む診療支援情報提供方法。
【発明の詳細な説明】
【技術分野】
【０００１】
本発明は、医療従事者が診療において参考にする診療支援情報を医療機関に設置された医療機関端末にて表示することのできる診療支援情報提供システム、診療支援情報提供方法、サーバ装置、及び、診療支援情報提供プログラムに関する。
【背景技術】
【０００２】
昨今、医療機関において医療業務を効率的に行うために、電子カルテシステムを初めとする多様なシステムの導入が進められている。導入が進められているシステムの１つとして、医師等が診療を効率的に行うために、診療に関する情報を閲覧することのできるシステムが提案されている（特許文献１及び２を参照）。このようなシステムを導入することで、医師等は迅速にかつ的確に医療業務を遂行することができる。
【０００３】
しかし、システムを導入することにより享受するメリットは多いものの、その導入のための費用は高額であり、安易に導入できるものではない。また、運用費用も高額であり、医療機関へのシステム導入の障壁となっている。
【先行技術文献】
【特許文献】
【０００４】
【特許文献１】特開２００５−２０２５４７号公報
【特許文献２】特開２０１２−２４９９６４号公報
【発明の概要】
【発明が解決しようとする課題】
【０００５】
本発明は、このような課題を解決するためのものであり、医師や医療機関等の経済的負担が少ない診療支援情報提供システムを提供することを目的とする。
【課題を解決するための手段】
【０００６】
本発明は、医療従事者が診療において参考にする診療支援情報を表示装置に表示する医療機関端末、及び、該医療機関端末と通信による接続が可能なサーバ装置を備える診療支援情報提供システムであって、サーバ装置が、診療支援情報を記憶する診療支援情報記憶手段と、診療支援情報の表示要求を含む、医療従事者による医療機関端末への操作指示に関する操作指示情報を、医療機関端末から受信する操作指示情報受信手段と、操作指示情報受信手段により受信した操作指示情報に含まれる表示要求に応じて、診療支援情報記憶手段に記憶された診療支援情報を医療機関端末に送信する診療支援情報送信手段と、操作指示情報受信手段により受信した操作指示情報を記憶する操作指示情報記憶手段と、医療従事者又は医療機関の保有するポイントを記憶するポイント記憶手段と、医療従事者又は医療機関が所定の条件を満たす場合に、ポイント記憶手段により記憶されたポイントに所定のポイントを加算するポイント加算手段と、診療支援情報提供システムの利用費用の支払いにポイントを充当するため、ポイント記憶手段に記憶されたポイントから所定のポイントを減算するポイント減算手段とを備え、医療機関端末が、診療支援情報の表示要求を含む、医療従事者による医療機関端末への操作指示に関する操作指示情報を、サーバ装置に送信する操作指示情報送信手段と、サーバ装置から診療支援情報を受信する診療支援情報受信手段と、診療支援情報受信手段により受信した診療支援情報を表示装置に表示する診療支援情報表示手段とを備える、診療支援情報提供システムに関する。
【０００７】
本発明の診療支援情報提供システムは、例えば、医師、歯科医師、看護師等の医療従事者が診療支援情報を利用して診療を行い、システムにおいて医療従事者が操作指示した情報が蓄積されることにより、各医療従事者あるいは医療機関の保有するポイントが貯まるものである。医療従事者は、貯まったポイントを診療支援情報システムの利用料の支払いに対して充当できるため、ポイントを貯めるべく、積極的に診療支援情報を利用するようになる。このような、医療従事者が診療支援情報提供システムを利用した際における操作指示情報は経済的に価値があるため、システム運営者は、医療従事者からのシステム利用料の支払いを受けなくても（あるいは、割り引いても）、支障なくシステムの運営が可能となる。これにより、医療機関における医療行為の質向上を実現することが可能となる。その結果、患者は疾病又は傷病の治癒までの期間が短縮される等の恩恵を受けることができ、完治までに必要な医療費を削減できる。
【０００８】
ここで、ポイントが加算されるための「所定の条件」とは、例えば、操作指示情報の商業的な利用を医療従事者又は医療機関が許諾することなどが挙げられる。本システムは、操作指示情報の商業的な利用を許諾しない医療機関であっても有料で利用することが可能であり、その場合には、サーバ装置は操作指示情報を収集せず、ポイントを加算しない。
【０００９】
本発明では、ポイント加算手段が、操作指示情報受信手段による医療機関端末からの操作指示情報の受信、又は、操作指示情報記憶手段による操作指示情報の記憶が実行されることに応じて、所定のポイントを加算することが好ましい。
【００１０】
本発明では、医療機関端末が、診療支援情報が表示された診療支援情報表示領域において、患者の症状に対する診断、及び、患者に対する処方、処置又は検査の実施に関する第一の処方情報を入力する第一処方情報入力手段とを備え、操作指示情報が、第一処方情報入力手段により入力された第一の処方情報を含むことが好ましい。
【００１１】
医療機関端末の表示画面上における診療支援情報表示領域を利用することで、医療従事者は診療支援情報を閲覧しつつ、患者に対して処方、処置又は検査をすることができる。これにより、医療従事者は診療支援情報を利用して診療しやすくなり、より積極的に診療支援情報を活用するようになる。さらに、サーバ装置に蓄積される操作指示情報は、医療従事者が診断するにあたり、どのような疾病又は傷病の可能性を疑い、治療指針を検討し、最終的に診断を下したのかという、医療従事者の判断の経緯を示す情報であるため、より価値の高い情報を蓄積することが可能となる。
【００１２】
本発明では、医療機関端末が、診療支援情報表示領域とは異なる電子カルテ表示領域に、患者の受けた診療に関する診療情報を表示する診療情報表示手段と、電子カルテ表示領域において、患者の症状に対する診断、及び、患者に対する処方、処置又は検査の実施に関する第二の処方情報を入力する第二処方情報入力手段とを備えることが好ましい。
【００１３】
本発明の医療機関端末が診療支援情報閲覧機能に加えて電子カルテ機能を備えることにより、診療支援情報を使用しなくても患者の症状に対する診断、及び、患者に対する処方、処置又は検査をすることができる。電子カルテ機能を備えることにより、患者の個人情報、診察情報、投薬情報、会計情報等のデータの一括管理が可能であり、また必要な情報の検索等が簡便にできることで医療業務の効率化を図ることが可能となる。その他にも、紙の書類を電子データ化することで、書類の保管スペースを縮小できるという利点がある。
【００１４】
本発明は、医療従事者が診療において参考にする診療支援情報を表示装置に表示する医療機関端末と、該医療機関端末と通信により接続が可能であり、診療支援情報と医療従事者又は医療機関の保有するポイントとを記憶装置に記憶するサーバ装置とを備えるシステムにおいて実行される診療支援情報提供方法であって、サーバ装置において、診療支援情報の表示要求を含む、医療従事者による医療機関端末への操作指示に関する操作指示情報を、医療機関端末から受信するステップと、操作指示情報を受信するステップにて受信した操作指示情報に含まれる表示要求に応じて、記憶装置に記憶した診療支援情報を医療機関端末に送信するステップと、操作指示情報を受信するステップにて受信した操作指示情報を記憶装置に記憶するステップと、医療従事者又は医療機関が所定の条件を満たす場合に、記憶装置に記憶したポイントに所定のポイントを加算するステップと、記憶装置に記憶したポイントから所定のポイントを減算するステップとを含み、医療機関端末において診療支援情報の表示要求を含む、医療従事者による医療機関端末への操作指示に関する操作指示情報を、サーバ装置に送信するステップと、サーバ装置から診療支援情報を受信するステップと、診療支援情報を受信するステップにて受信した診療支援情報を表示装置に表示するステップとを含む診療支援情報提供方法に関する。
【００１５】
本発明は、医療従事者が診療において参考にする診療支援情報を表示装置に表示する医療機関端末と通信による接続が可能なサーバ装置であって、診療支援情報を記憶する診療支援情報記憶手段と、診療支援情報の表示要求を含む、医療従事者による医療機関端末への操作指示に関する操作指示情報を、医療機関端末から受信する操作指示情報受信手段と、操作指示情報受信手段により受信した操作指示情報に含まれる表示要求に応じて、診療支援情報記憶手段に記憶された診療支援情報を医療機関端末に送信する診療支援情報送信手段と、操作指示情報受信手段により受信した操作指示情報を記憶する操作指示情報記憶手段と、医療従事者又は医療機関の保有するポイントを記憶するポイント記憶手段と、医療従事者又は医療機関が所定の条件を満たす場合に、ポイント記憶手段により記憶されたポイントに所定のポイントを加算するポイント加算手段と、診療支援情報提供システムの利用費用の支払いにポイントを充当するため、ポイント記憶手段に記憶されたポイントから所定のポイントを減算するポイント減算手段とを備えるサーバ装置に関する。
【００１６】
本発明は、医療従事者が診療において参考にする診療支援情報を表示装置に表示する他のコンピュータ装置と通信による接続が可能なコンピュータ装置において実行される診療支援情報提供プログラムであって、コンピュータ装置を、診療支援情報を記憶する診療支援情報記憶手段と、診療支援情報の表示要求を含む、医療従事者による他のコンピュータ装置への操作指示に関する操作指示情報を、他のコンピュータ装置から受信する操作指示情報受信手段と、操作指示情報受信手段により受信した操作指示情報に含まれる表示要求に応じて、診療支援情報記憶手段に記憶された診療支援情報を他のコンピュータ装置に送信する診療支援情報送信手段と、操作指示情報受信手段により受信した操作指示情報を記憶する操作指示情報記憶手段と、医療従事者又は医療機関の保有するポイントを記憶するポイント記憶手段と、医療従事者又は医療機関が所定の条件を満たす場合に、ポイント記憶手段により記憶されたポイントに所定のポイントを加算するポイント加算手段と、診療支援情報提供システムの利用費用の支払いにポイントを充当するため、ポイント記憶手段に記憶されたポイントから所定のポイントを減算するポイント減算手段として機能させる診療支援情報提供プログラムに関する。
【００１７】
本発明は、医療従事者が診療において参考にする診療支援情報を表示装置に表示する医療機関端末と通信による接続が可能であり、診療支援情報と医療従事者又は医療機関の保有するポイントとを記憶装置に記憶するサーバ装置において実行される診療支援情報提供方法であって、診療支援情報の表示要求を含む、医療従事者による医療機関端末への操作指示に関する操作指示情報を、医療機関端末から受信するステップと、操作指示情報を受信するステップにて受信した操作指示情報に含まれる表示要求に応じて、記憶装置に記憶した診療支援情報を医療機関端末に送信するステップと、操作指示情報を受信するステップにて受信した操作指示情報を記憶装置に記憶するステップと、医療従事者又は医療機関が所定の条件を満たす場合に、記憶装置に記憶したポイントに所定のポイントを加算するステップと、診療支援情報提供システムの利用費用の支払いにポイントを充当するため、記憶したポイントから所定のポイントを減算するステップとを含む診療支援情報提供方法に関する。
【図面の簡単な説明】
【００１８】
【図１】本発明の実施の形態にかかる診療支援情報提供システムの構成を示すブロック図の一例である。
【図２】本発明の実施の形態における医療機関端末の機能を説明するためのブロック図の一例である。
【図３】本発明の実施の形態におけるサーバ装置の機能を説明するためのブロック図の一例である。
【図４】本発明の実施の形態にかかる操作指示情報収集処理のフローチャートの一例を示す図である。
【図５】本発明の実施の形態にかかる操作指示情報データベースの一例を示す図である。
【図６】本発明の実施の形態にかかる医療機関端末の表示画面に表示される情報ウィンドウの一例を示す図である。
【図７】本発明の実施の形態にかかる診療情報及び診断指針情報を表示する際の医療機関端末の画面インタフェースを表す図である。
【図８】本発明の実施の形態にかかる診療情報及び治療指針情報を表示する際の医療機関端末の画面インタフェースを表す図である。
【図９】本発明の実施の形態にかかる診療情報及び医薬品情報を表示する際の医療機関端末の画面インタフェースを表す図である。
【図１０】本発明の実施の形態にかかるポイント加算処理のフローチャートの一例を示す図である。
【図１１】本発明の実施の形態にかかる操作指示内容別ポイントデータベースの一例を示す図である。
【図１２】本発明の実施の形態にかかる医療機関端末データベースの一例を示す図である。
【図１３】本発明の実施の形態にかかるポイント減算処理のフローチャートの一例を示す図である。
【発明を実施するための形態】
【００１９】
以下に、本発明の実施の形態について説明をするが、本発明の趣旨に反しない限り、本発明は、実施の形態に記載された態様に限定されるものではない。図１は、本発明の実施の形態にかかる診療支援情報提供システムの構成を示すブロック図の一例である。図示するように、診療支援情報提供システムは、サーバ装置１、通信ネットワーク２及び複数の医療機関端末３から構成される。医療機関端末３は、本発明の診療支援情報提供システムを導入した医療機関毎に少なくとも１台ずつ設けられることが好ましい。
【００２０】
サーバ装置１は、制御部１１、ＲＡＭ（Ｒａｎｄｏｍ  Ａｃｃｅｓｓ  Ｍｅｍｏｒｙ）１２、ハードディスク・ドライブ（ＨＤＤ）１３、及び、通信インタフェース１４からなり、それぞれ内部バスにより接続されている。通信インタフェース１４は、通信ネットワーク２を介して後述する医療機関端末３と接続されている。
【００２１】
制御部１１は、ＣＰＵ（Ｃｅｎｔｒａｌ  Ｐｒｏｃｅｓｓｉｎｇ  Ｕｎｉｔ）やＲＯＭ（Ｒｅａｄ  Ｏｎｌｙ  Ｍｅｍｏｒｙ）から構成される。制御部１１は、ＨＤＤ１３に格納されたプログラムを実行し、サーバ装置１の制御を行なう。ＲＡＭ１２は、制御部１１のワークエリアである。ＨＤＤ１３は、プログラムやデータを保存するための記憶領域である。診療支援情報提供システムの実行に必要なプログラムやデータは、ＨＤＤ１３などから読み出され、ＲＡＭ１２にロードされる。
【００２２】
制御部１１は、診療支援情報提供システムにおける各種処理の実行に必要なプログラム及びデータをＲＡＭ１２から読み出して処理を行なう。制御部１１は、ＲＡＭ１２にロードされたプログラム及びデータを処理することで、医療機関端末３に送信するデータを生成し、通信インタフェース１４から通信ネットワーク２を介してデータを送信する。また、必要に応じて、医療機関端末３から通信インタフェース１４が受信したデータや制御部１１が処理したデータは、記憶装置に記憶される。
【００２３】
通信インタフェース１４は、通信ネットワーク２を介して医療機関端末３の通信インタフェース３６と接続することにより、情報の送受信を行う。
【００２４】
通信ネットワーク２は、サーバ装置１と医療機関端末３とを接続できるものであれば、インターネット、専用回線等どのようなものであっても良いが、送受信される情報の機密保持の観点から、ＶＰＮ接続等の第三者への情報漏洩を防ぐことのできる通信方法を用いた通信ネットワークであることが好ましい。
【００２５】
医療機関端末３は、制御部３１、ＲＡＭ（Ｒａｎｄｏｍ  Ａｃｃｅｓｓ  Ｍｅｍｏｒｙ）３２、ハードディスク・ドライブ（ＨＤＤ）３３、入力装置３４、表示装置３５、通信インタフェース３６からなり、それぞれ内部バスにより接続されている。表示装置３５には、表示画面３５ａが設けられている。
【００２６】
制御部３１は、ＣＰＵ（Ｃｅｎｔｒａｌ  Ｐｒｏｃｅｓｓｉｎｇ  Ｕｎｉｔ）やＲＯＭ（Ｒｅａｄ  Ｏｎｌｙ  Ｍｅｍｏｒｙ）から構成される。制御部３１は、ＨＤＤ３３に格納されたプログラムを実行し、医療機関端末３の制御を行う。ＲＡＭ３２は、制御部３１のワークエリアである。ＨＤＤ３３は、プログラムやデータを保存するための記憶領域である。医療機関端末３における各種処理の実行に必要なプログラムやデータは、ＨＤＤ３３、通信ネットワーク２を介してサーバ装置１からデータを受信した通信インタフェース３６、入力装置３４などから読み出され、ＲＡＭ３２にロードされる。
【００２７】
制御部３１は、医療機関端末３における各種処理の実行に必要なプログラム及びデータをＲＡＭ３２から読み出して処理を行なう。制御部３１は、ＲＡＭ３２にロードされたプログラム及びデータを処理することで、サーバ装置１に送信するデータを生成し、通信インタフェース３６から通信ネットワーク２を介してデータを送信する。
【００２８】
入力装置３４には、マウスやキーボード、タッチパネル等といった入力デバイスが具備されており、利用者である医療従事者からの操作入力や情報入力が受け付けられる。
【００２９】
表示装置３５は、利用者が閲覧する情報を表示するための表示画面３５ａを具備する。医療機関端末３の表示画面３５ａは、複数設けられていても良い。制御部３１が処理したデータは、必要に応じて、表示装置３５の表示画面３５ａに表示される。
【００３０】
通信インタフェース３６は、通信ネットワーク２を介してサーバ装置１の通信インタフェース１４と接続することにより、情報の送受信を行う。
【００３１】
図２は、本発明の実施の形態における医療機関端末の機能を説明するためのブロック図の一例である。本発明における医療機関端末３は、操作指示情報送信機能４１、診療支援情報受信機能４２、診療支援情報表示機能４３、第一処方情報入力機能４４、診療情報表示機能４５及び第二処方情報入力機能４６を備える。制御部３１により、これらの機能の実行が制御される。
【００３２】
図３は、本発明の実施の形態におけるサーバ装置の機能を説明するためのブロック図の一例である。本発明におけるサーバ装置１は、操作指示情報受信機能５１、診療支援情報送信機能５２、ポイント加算機能５３及びポイント減算機能５４を備える。制御部１１により、これらの機能の実行が制御される。
【００３３】
医療機関端末３の操作指示情報送信機能４１は、サーバ装置１へ表示要求及び後述する操作指示情報を送信する機能を有する。診療支援情報受信機能４２は、サーバ装置１から後述する診療支援情報を受信する機能を有する。
【００３４】
サーバ装置１の操作指示情報受信機能５１は、医療機関端末３から表示要求及び操作指示情報を受信する機能を有する。診療支援情報送信機能５２は、医療機関端末３へ診療支援情報を送信する機能を有する。
【００３５】
医療機関端末３にて診療支援情報提供システムが起動すると、医療機関端末３がサーバ装置１にアクセスする。この際、端末又は医療機関を識別するため、アカウントとパスワードを使用してログインするようにしても良い。
【００３６】
次に、医療機関端末３における診療支援情報の表示について説明する。図４は、本発明の実施の形態にかかる処理のフローチャートの一例を示す図である。医療機関端末３は操作指示情報送信機能４１により表示要求をサーバ装置１に送信し（ステップＳ１）、サーバ装置１は操作指示情報受信機能５１で表示要求を受信する（ステップＳ２）。その後、サーバ装置１は受信した表示要求を、操作指示情報として医療機関端末と関連付けて記憶装置に記憶する（ステップＳ３）。ここで、操作指示情報と関連付ける情報は医療機関端末に関する情報でも、医療従事者のアカウント等でも良い。
【００３７】
次に、サーバ装置１に記憶された診療支援情報から、表示要求に対応した診療支援情報を抽出し（ステップＳ４）、診療支援情報送信機能５２により診療支援情報を医療機関端末３へ送信する（ステップＳ５）。医療機関端末３は、診療支援情報受信機能４２により診療支援情報を受信し（ステップＳ６）、診療支援情報表示機能４３によって表示画面３５ａに診療支援情報を表示し（ステップＳ７）、医療従事者が診療支援情報を閲覧可能な状態にする。
【００３８】
表示された情報を閲覧した医療従事者が、その情報に関連する診療支援情報を閲覧するための操作指示（例えば、ボタンを押下する等）をすると、関連情報の表示要求が生成され（ステップＳ８にてＹＥＳ）、再度サーバ装置に表示要求を送信する（ステップＳ１）。医療従事者が関連情報を表示しない場合（ステップＳ８にてＮＯ）、医療従事者は確定診断又は処方に関する操作指示情報を入力する（ステップＳ９）。操作指示情報が入力されると、医療機関端末３は操作指示情報送信機能４１により、サーバ装置１へ操作指示情報を送信する（ステップＳ１０）。サーバ装置１は、操作指示情報受信機能５１により操作指示情報を受信し（ステップＳ１１）、受信した操作指示情報を記憶装置に記憶する（ステップＳ１２）。
【００３９】
ここで、表示要求を含む操作指示情報のサーバ装置への送信は、医療従事者が操作をした都度送信するようにしても良いし、医療機関端末３の記憶装置に操作指示情報を保存しておいて、例えば、医療従事者がボタンを押下する等、何らかの操作をした結果として一括で送信するようにしても良い。
【００４０】
次に、操作指示情報のデータ構造について説明する。図５は、本発明の実施の形態にかかる操作指示情報データベースの一例を示す図である。サーバ装置１に備えられた操作指示情報データベース６０には、操作指示ＩＤ６１に関連付けて、医療機関端末６２、操作指示内容６３、種別６４、名称６５、数量６６などが記憶されている。操作指示内容６３は、医療機関端末６２において操作の指示がなされた内容が示されており、例えば、疾病名の閲覧、疾病名の選択、医薬品の処方等の内容が含まれる。また、種別６４は名称６５の種別を表すものであり、例えば疾病名、傷病名、医薬品名等が含まれる。
【００４１】
操作指示情報は医療従事者の行動に基づく情報であるため、第三者へのデータの提供には医療従事者の承諾が必要である。もし承諾が得られない場合は、操作指示情報を収集しないようにすることもできる。この場合、承諾しなかった医療従事者に対応する医療機関端末又は医療機関にはポイントが付与されない。一方、承諾が得られた場合に、操作指示情報の提供を承諾したことに対して定期的にポイントを加算するようにしても良い。
【００４２】
次に、診療関連情報が表示装置３５の表示画面３５ａに表示される画面インタフェースについて説明する。図６は、本発明の実施の形態にかかる医療機関端末の表示画面に表示される情報ウィンドウの一例を示す図である。医療機関端末３の表示画面３５ａには、本発明の診療支援情報提供システムの診療情報表示ウィンドウ４が表示される。診療情報表示ウィンドウ４には、診療対象の患者名等を表示する患者情報表示部７１、患者の過去の診療情報を表示する診療情報表示部７２、医療従事者の操作指示により生成・記憶されたブックマーク情報を表示するブックマーク情報表示部７３、及び、医療従事者が診療支援情報を閲覧するための診療支援情報表示部７４が含まれる。
【００４３】
診療情報表示部７２には、処方に関する情報を表示する処方情報表示部７２ａ、診療経過に関する情報を表示する診療録表示部７２ｂ、検査結果を表示する検査結果表示部７２ｃ等が含まれる。診療情報表示部７２に表示される情報の種類は、患者に対する診療経過に応じて適宜増加するものである。
【００４４】
医療機関端末３の第二処方情報入力機能４６により、医療従事者は、診療情報表示部７２において処方や検査等の実施に関わる操作指示を入力することができる。図示していないが、医療機関端末３は、診療情報表示部に対する入力を診療入力情報としてサーバ装置１に送信し、サーバ装置１は診療入力情報を受信した後、記憶装置に記憶する。
【００４５】
しかし、診療情報表示部７２において医療従事者が入力した診療入力情報は、患者を特定することができ、個人情報保護法に抵触するおそれがあるため、この情報に対してはポイントを付与することができない。また、サーバ装置１に蓄積された診療入力情報を第三者に提供することはできないように制御することが好ましい。
【００４６】
診療支援情報表示部７４には、疾病名、医薬品名等を検索可能な検索パネル部７５及び診療支援情報を閲覧する診療支援情報閲覧部７６が含まれる。さらに、検索パネル部７５は、検索する語句を入力する検索入力枠７５ａと検索結果を一覧で表示する検索結果一覧表示部７５ｂを含んで構成される。医療従事者は検索入力枠７５ａに検索したい語句を入力して検索し、検索結果一覧表示部７５ｂに表示された項目を選択し、診療支援情報閲覧部７６に情報を表示させることで、診療支援情報を活用することができる。
【００４７】
次に、ブックマーク処理について説明する。特に図示しないが、医療機関端末３の表示画面３５ａに表示された診療情報や、医療従事者により入力された操作指示に応じて選択又は表示された診療支援情報等については、これらの診療支援情報の中から任意の診療支援情報を選択し、選択した診療支援情報を好きな時に表示させることのできるブックマーク情報を記憶しておくことができる。例えば、医療機関端末３の入力装置３４に入力された入力情報や操作指示に基づいて、ブックマークを作成する診療支援情報を選択し、選択された診療支援情報に対応するブックマーク情報が生成・記憶される。医療従事者は、記憶されたブックマーク情報を選択することで、ブックマーク情報に対応する診療支援情報を表示画面３５ａに表示させ、閲覧したい情報を容易に閲覧することができる。
【００４８】
なお、ブックマーク情報の生成、選択、及び記憶に関する処理は、医療機関端末３において実行されても良いし、サーバ装置１において実行されても良い。
【００４９】
次に、診療支援情報として診断指針情報が表示される際の画面インタフェースについて説明する。図７は、本発明の実施の形態にかかる診療情報及び診断指針情報を表示する際の医療機関端末の画面インタフェースを表す図である。
【００５０】
表示画面３５ａには、上述した診療情報表示ウィンドウ４と同様に、診療対象の患者名等を表示する患者情報表示部８１、患者の過去の診療情報を表示する診療情報表示部８２、医療従事者の操作指示により生成・記憶されたブックマーク情報を表示するブックマーク情報表示部８３、検索パネル部８４、及び、医療従事者が診断指針情報を閲覧するための診断指針情報表示部８５を含んで構成される診断指針情報表示ウィンドウ５が表示される。
【００５１】
診断指針情報表示部８５には、診断指針情報の項目名８５ａ、診断指針情報８５ｂ及び８５ｃ、表示されている診断指針情報に関連する医薬品情報を表示する関連医薬品情報表示ボタン８５ｄ、同様に関連する治療指針情報を表示する関連治療指針情報表示ボタン８５ｅ、表示されている診断指針情報についてブックマーク情報を生成・記憶するブックマークボタン８５ｆ、及び、表示されている診断指針情報に含まれる臨床検査を指示する検査指示ボタン８５ｇが表示される。
【００５２】
診断指針情報の項目名８５ａは、表示されている診断指針情報を一意的に特定する識別情報でもある。また、診断指針情報８５ｃは、タグ付けにより他の診療支援情報とリンクされている。医療従事者は、入力装置３４からの操作指示により、表示画面３５ａ上のポインタ等を操作し、検査指示ボタン８５ｇを押下等することで、診断指針情報表示部８５に表示された診断指針情報に記載された臨床検査を指示する検査指示情報を生成し記憶させることができる。
【００５３】
検索入力枠８４ａに患者の症状等を入力して検索すると、検索結果一覧表示部８４ｂに検索した語句の症状等に関連する症候名が一覧として表示される。ここで、図７に示すように、「高熱」を選択すると、選択した症候の詳細な情報が診断指針情報表示部８５に表示される。
【００５４】
次に、診療支援情報として治療指針情報が表示される際の画面インタフェースについて説明する。図８は、本発明の実施の形態にかかる診療情報及び治療指針情報を表示する際の医療機関端末の画面インタフェースを表す図である。
【００５５】
表示画面３５ａには、上述した診断指針情報表示ウィンドウ５と同様に、診療対象の患者名等を表示する患者情報表示部９１、患者の過去の診療情報を表示する診療情報表示部９２、医療従事者の操作指示により生成・記憶されたブックマーク情報を表示するブックマーク情報表示部９３、検索パネル部９４、及び、医療従事者が治療指針情報を閲覧するための治療指針情報表示部９５を含んで構成される治療指針情報表示ウィンドウ６が表示される。
【００５６】
治療指針情報表示部９５には、治療指針情報の項目名９５ａ、治療指針情報９５ｂ及び９５ｃ、表示されている治療指針情報に関連する診断指針情報を表示する関連診断指針情報表示ボタン９５ｄ、表示されている治療指針情報に関連する医薬品情報を表示する関連医薬品情報表示ボタン９５ｅ、表示されている治療指針情報についてブックマーク情報を生成・記憶するブックマークボタン９５ｆ、及び、表示されている治療指針情報に含まれる処置を指示する処置指示ボタン９５ｇが表示される。
【００５７】
治療指針情報の項目名９５ａは、表示されている治療指針情報を一意的に特定する識別情報でもある。また、治療指針情報９５ｃは、タグ付けにより他の診療支援情報とリンクされている。医療従事者は、入力装置３４からの操作指示により、表示画面３５ａ上のポインタ等を操作し、処置指示ボタン９５ｇを押下等することで、治療指針情報表示部９５に表示された治療指針情報に記載された処置を指示する処置指示情報を生成し記憶させることができる。
【００５８】
治療指針情報表示部９５には、疾病や傷病に対する治療指針情報が表示される。図８に示す治療指針情報は、図７に示す診断指針情報表示ウィンドウ５の関連治療指針情報表示ボタン８５ｅを押下して表示した場合を想定している。治療指針情報は、検索パネル部９４を使用して表示することもできる。
【００５９】
次に、診療関連情報として医薬品情報が表示される際の画面インタフェースについて説明する。図９は、本発明の実施の形態にかかる診療情報及び医薬品情報を表示する際の医療機関端末の画面インタフェースを表す図である。
【００６０】
表示画面３５ａには、上述した診断指針情報表示ウィンドウ５等と同様に、診療対象の患者名等を表示する患者情報表示部１０１、患者の過去の診療情報を表示する診療情報表示部１０２、医療従事者の操作指示により生成・記憶されたブックマーク情報を表示するブックマーク情報表示部１０３、検索パネル部１０４、及び、医療従事者が医薬品情報を閲覧するための医薬品情報表示部１０５を含んで構成される医薬品情報表示ウィンドウ７が表示される。
【００６１】
医薬品情報表示部１０５には、医薬品情報の項目名１０５ａ、医薬品情報１０５ｂ及び１０５ｃ、表示されている医薬品情報に関連する診断指針情報を表示する関連診断指針情報表示ボタン１０５ｄ、同様に関連する治療指針情報を表示する関連治療指針情報表示ボタン１０５ｅ、表示されている医薬品情報についてブックマーク情報を生成・記憶するブックマークボタン１０５ｆ、及び、表示されている医薬品の処方を決定する処方決定ボタン１０５ｇが表示される。
【００６２】
医薬品情報の項目名１０５ａは、表示されている医薬品情報を一意的に特定する識別情報でもある。また、医薬品情報１０５ｃは、タグ付けにより他の診療支援情報とリンクされている。医療従事者は、入力装置３４からの操作指示により、表示画面３５ａ上のポインタ等を操作し、処方決定ボタン１０５ｇを押下等することで、医薬品情報表示部１０５に表示されている医薬品を患者に処方する処方指示情報を生成し記憶させることができる。
【００６３】
医薬品情報表示部１０５には、医薬品の説明及び効果等の医薬品情報が表示される。図９に示す医薬品情報は、診断指針情報表示ウィンドウ５の関連医薬品情報表示ボタン８５ｄを押下して表示した場合を想定している。医薬品情報は検索パネル部１０４を使用して表示することもできるし、治療指針情報表示ウィンドウ６における関連医薬品情報表示ボタン９５ｅを押下して表示させることもできる。
【００６４】
ここで、医療機関端末３の第一処方情報入力機能４４とは、診断指針情報表示ウィンドウ５における検査指示ボタン８５ｇ、治療指針情報表示ウィンドウ６における処置指示ボタン９５ｇ、及び、医薬品情報表示ウィンドウ７における処方決定ボタン１０５ｇをそれぞれ押下して、診療支援情報から検査、処置又は処方を実施できる機能である。後述するポイント加算処理のように、医療従事者が第一処方情報入力機能４４により診療支援情報を経由して処方等を実施した場合、その操作指示情報はサーバ装置１においてポイント加算の対象となる。
【００６５】
次に、医療機関端末３とサーバ装置１との間で送受信される操作指示情報について説明する。操作指示情報には、診療支援情報表示部７４又は検索パネル部７５において、医療従事者が入力装置３４から指示した操作の情報が含まれる。例えば、検索入力枠７５ａに入力した語句の検索や検索結果一覧表示部７５ｂに表示された項目の選択、あるいは処方決定ボタン１０４ｇの押下による医薬品の処方等、診療支援情報表示部７４を経由して指示した操作が含まれる。
【００６６】
次に、本発明のポイント加算処理について説明する。図１０は、本発明の実施の形態にかかるポイント加算処理のフローチャートの一例を示す図である。サーバ装置１が、記憶装置に記憶している操作指示情報を抽出し（ステップＳ２１）、抽出した操作指示情報の内容に応じたポイントを算定する（ステップＳ２２）。そして、記憶装置に記憶しているポイントに、算定したポイントを加算して（ステップＳ２３）、最後に記憶装置に記憶する（ステップＳ２４）。
【００６７】
加算するポイントは、１件の操作指示情報につき一定のポイントでも良いし、医療機関端末３の操作指示内容に応じて決定されるものでも良い。あるいは、診療支援情報表示部７４において確定診断を行い、処方等を行った患者の数に応じて、ポイントを加算することもできる。
【００６８】
ポイントを加算する時期は、サーバ装置１が操作指示情報を受信した時、又は、操作指示情報を記憶した時でも良い。あるいは、サーバ装置１が操作指示情報を蓄積する際にはポイントを加算せず、蓄積された操作指示情報を外部に出力する際にポイント加算するようにしても良い。その他、毎月の特定の日にポイント加算をするようにしてもよい。
【００６９】
次に、操作指示内容に応じて加算するポイントを決定する場合について説明する。図１１は、本発明の実施の形態にかかる操作指示内容別ポイントデータベースの一例を示す図である。サーバ装置１に備えられた操作指示内容別ポイントデータベース１１０には、医療機関端末１１１及び／又は操作指示内容１１２に関連付けて、加算ポイント１１３が設定されている。このように設計することで、例えば、患者数の多い医療機関と患者数の少ない医療機関との差別化を図ることができ、契約内容に応じて細かい設定ができるようになる利点がある。
【００７０】
次に、ポイントの保有形態について説明する。図１２は、本発明の実施の形態にかかる医療機関端末データベースの一例を示す図である。サーバ装置１に備えられた医療機関端末データベース１２０には、端末ＩＤ１２１に関連付けて、端末名１２２、診療科目１２３、設置場所１２４、保有ポイント１２５などが記憶されている。これらの情報と操作指示情報データベース６０とを組み合わせることにより、例えば、同一病院の異なる診療科目における処方薬の相違や、設置場所別の疾病名の感染者数の推移等、詳細な分析が可能となる。また、図に示すように端末ＩＤ１２１毎に保有ポイント１２５を有しており、ポイント加算処理及び後述するポイント減算処理により保有ポイント１２５が増減する。なお、ここでは一例として保有ポイント１２５を端末ＩＤ１２１に関連付けているが、医療機関単位でまとめてポイントを保有するようにしても良い。
【００７１】
次に、ポイントの減算処理について説明する。図１３は、本発明の実施の形態にかかるポイント減算処理のフローチャートの一例を示す図である。本発明の診療支援情報提供システムを利用するには利用料が必要であり、利用料は例えば月額固定の料金設定でも、利用頻度に応じた従量制課金型の料金設定でも良い。システム利用料の請求が発生する際に、サーバ装置１は利用した期間のシステム利用料を算定する（ステップＳ３１）。システム利用料は、利用者がポイントを充当せずに支払えるようにしても良い。
【００７２】
サーバ装置１は、利用した期間が確定した場合に、医療機関端末データベース１２０に格納された、医療機関端末に対応する保有ポイント１２５を抽出する（ステップＳ３２）。そして、システム利用料に対して、抽出した保有ポイント１２５を充当する（ステップＳ３３）。ここで、ポイントを１ポイントあたり１０円、あるいは１ポイント１００円と換算しても良い。システム利用料から保有ポイントを換金した額を差し引いた金額が、システムの利用期間に対する請求額となる。
【００７３】
最後に、充当したポイントを保有ポイント１２５から差し引くポイント減算処理を行う（ステップＳ３４）。ここで、システム利用料に対して充当できるポイントを、全て充当するのではなく、利用者がポイントの一部だけ充当できるよう設定しても良い。
【００７４】
ところで、サーバ装置１は、操作指示情報データベース６０に蓄積したデータを出力する機能を有しても良い。出力機能とは、紙面に印刷した資料にすることや、データをＣＳＶ形式等で出力することを含むものである。
【００７５】
また、サーバ装置１が他の装置とネットワークを介して接続している場合は、ネットワークを経由して操作指示情報データを送信できるようにしても良い。サーバ装置１が何らかの出力手段又はネットワークを介した送信手段を有することで、サーバ装置１に蓄積された操作指示情報データを外部に抽出することが可能となる。これにより、第三者によるデータの分析が可能となり、医療従事者又は医療機関が対処すべき事項を明確にすることができる。
【００７６】
対処すべき事項とは、例えば、医療機関端末データベース１２０の設置場所１２４のデータを用いて、ある地方の医療機関におけるインフルエンザ患者数の推移を知り、医療機関及び製薬会社等がインフルエンザの対策を講じることである。また、操作指示情報データベースの医療機関端末６２、操作指示内容６３及び名称６５のデータを用いて、効能が一緒である医薬品が、外科と内科とで処方されるタイミングが異なることを知り、医療従事者の属性に基づく診療方針の変化を明確にした上で、医療機関における医療行為の質の安定化のため、医療機関内のルールを策定すること等でも良い。
【００７７】
操作指示情報データの出力は、ポイントの減算処理と同時期に行われることが望ましいが、操作指示情報を記録すると同時にリアルタイムで第三者機関に送信される仕組み、あるいはバッチ処理で定期的に抽出及び送信を行う仕組みであっても良い。特にリアルタイムに近い送信の仕組みは、患者数の推移等から得られる情報の価値がより高まるため、好ましい。
【００７８】
ところで、本発明の操作指示情報データは、個人情報保護法には抵触しないものである。操作指示情報データに含まれる内容は、医療従事者の判断により診療支援情報に対して行った操作であり、患者を特定する情報を一切含まず、患者の行為に依存する情報ではないからである。したがって、第三者に操作指示情報データを提供しても、情報漏えいの心配がなく、本発明のシステムの利用者である医療従事者は、安心して医療業務に携わることができる。
【符号の説明】
【００７９】
１        サーバ装置
１１      制御部
１１０    操作指示内容ポイントデータベース
１２      ＲＡＭ
１２０    医療機関端末データベース
１３      ＨＤＤ
１４      通信インタフェース
２        通信ネットワーク
３        医療機関端末
３１      制御部
３２      ＲＡＭ
３３      ＨＤＤ
３４      入力装置
３５      表示装置
３６      通信インタフェース
４        診療情報表示ウィンドウ
５        診断指針情報表示ウィンドウ
６        治療指針情報表示ウィンドウ
６０      操作指示情報データベース
７        医薬品情報表示ウィンドウ
【図１】
2018032109.tif 000003
【図２】
2018032109.tif 000004
【図３】
2018032109.tif 000005
【図４】
2018032109.tif 000006
【図５】
2018032109.tif 000007
【図６】
2018032109.tif 000008
【図７】
2018032109.tif 000009
【図８】
2018032109.tif 000010
【図９】
2018032109.tif 000011
【図１０】
2018032109.tif 000012
【図１１】
2018032109.tif 000013
【図１２】
2018032109.tif 000014
【図１３】
2018032109.tif 000015